(57)【特許請求の範囲】
【請求項１】
入力される副画面ＩＦ信号を副画面の映像信号と副画面の同期信号とに分離して出力する副画面ＩＦ処理部と、
前記副画面ＩＦ処理部から入力される副画面の映像信号をアナログ／ディジタル変換してから縮小変換し、再びディジタル／アナログ変換して出力する副画面処理部と、
入力される制御信号に応じてオンスクリーンディスプレー（ＯＳＤ）用色信号を発生させるオンスクリーンディスプレー信号発生部と、
キー部から入力されるキー信号に応じて副画面をディスプレーする水平及び垂直位置の制御データを出力するとともに前記オンスクリーンディスプレー信号発生部へ制御信号を出力するマイクロコンピューターと、
入力された主、副画面映像信号及びオンスクリーンディスプレー用色信号をスイッチングして最終的に表示部（ＣＰＴ）にディスプレーするための色差信号を出力するクロマ部と、
水平及び垂直偏向制御電流を発生して前記表示部のビーム走査方向を制御する偏向制御部と、
前記マイクロコンピューターの制御信号によりピクチャーインピクチャー（ＰＩＰ）及びオンスクリーンディスプレーの水平位置データをセッティングするために、類似ピクチャーアウトピクチャー（ＰＯＰ）モード時に、ピクチャーインピクチャー及びオンスクリーンディスプレーの標準データに所定時間遅延した遅延データを記憶するメモリ部と、
ピクチャーインピクチャーモード時に主画面の水平同期信号を遅延して前記偏向制御部へ出力する水平同期信号スイッチング部と、を備え、
さらに、前記水平同期信号スイッチング部は、前記マイクロコンピューターの出力信号に応じてスイッチングして前記水平同期信号を前記偏向制御部と遅延部に伝達するスイッチと、
前記スイッチを通じて入力される前記水平同期信号を所定時間遅延して出力する遅延部とから構成されることを特徴とする主画面位置補償回路。
【請求項２】
請求項１において、
前記スイッチは前記マイクロコンピューターのハイ出力に制御される時、前記水平同期信号を遅延部に伝達することを特徴とする主画面位置補償回路。
【請求項３】
請求項１において、
前記スイッチは前記マイクロコンピューターのロー出力に制御される時、前記水平同期信号を偏向制御部に伝達することを特徴とする主画面位置補償回路。
【請求項４】
ピクチャーインピクチャー（ＰＩＰ）−オンキーの信号がキー部を通じて入力されるかをチェックする第１段階と、
前記ピクチャーインピクチャー（ＰＩＰ）−オンキーの信号が入力されたとチェックされると、予定された複数のピクチャーインピクチャーモードのうち１つをセッティングし、セッティングされた前記ピクチャーインピクチャーモードを判別する第２段階と、
前記ピクチャーインピクチャー−オンキーの信号が入力されなかったとチェックされると、予めセッティングされていたピクチャーインピクチャーモードを判別する第３段階と、
判別される前記ピクチャーインピクチャーモードが類似ピクチャーアウトピクチャー（ＰＯＰ）モードであると、複数の副画面が類似ピクチャーアウトピクチャーモードでディスプレーされるようにデータをセッティングする第４段階と、
前記副画面とオンスクリーンディスプレー領域の既に設定された水平データをメモリから読みこむ第５段階と、
前記メモリから読みこんだ前記副画面とオンスクリーンディスプレー領域の前記既に設定された水平データを遅延された水平データとそれぞれ加算し、前記副画面とオンスクリーンディスプレー領域の水平位置に当たるデータをそれぞれセッティングしてから副画面映像処理部とオンスクリーンディスプレー信号発生部へ出力する第６段階と、
主画面の水平同期信号を所定期間遅延してから偏向制御部へ出力する第７段階と、
判別されるピクチャーインピクチャーモードがピクチャーインピクチャー−オンモードであると、１副画面がピクチャーインピクチャー−オンモードでディスプレーされるようにデータをセッティングする第８段階と、
判別される前記ピクチャーインピクチャーモードがピクチャーインピクチャー−オフモードであると、ピクチャーインピクチャー−オフモードでディスプレーされるようにデータをセッティングする第９段階と、
前記第８及び第９段階での前記データがセッティングされた後、前記ピクチャーインピクチャーとオンスクリーンディスプレー領域の水平位置に当たるデータをそれぞれ標準にセッティングした後、前記オンスクリーンディスプレー信号発生部と前記副画面映像処理部へ出力する第１０段階と、
前記主画面の水平同期信号を遅延せずに偏向制御部へ出力する第１１段階を遂行することを特徴とする主画面位置補償方法。
【請求項５】
請求項４において、
前記複数のピクチャーインピクチャーモードはピクチャーインピクチャー−オンモードと、類似ピクチャーアウトピクチャーモードと、ピクチャーインピクチャー−オフモードと、からなることを特徴とする主画面位置補償方法。
【請求項６】
請求項４において、
マイクロコンピューターのハイ状態の制御信号により主画面の水平同期信号が所定期間遅延されてから偏向制御部へ出力されることを特徴とする主画面位置補償方法。
【請求項７】
請求項４において、
ロー状態の制御信号により主画面の水平同期信号が、遅延されなく偏向制御部へ出力されることを特徴とする主画面位置補償方法。
【発明の詳細な説明】
【０００１】
【産業上の利用分野】
本発明はテレビのモニターで現れる主画面の位置を補償する回路及びその方法に関するもので、特に主画面を画面全体が左側に移動されている状態でテレビのモニターで現れるようにするとともに副画面を前記主画面の右側に現れるようにして、ピクチャーインピクチャー（ＰＩＰ：Ｐｉｃｔｕｒｅ  Ｉｎ  Ｐｉｃｔｕｒｅ）モードの主画面及び副画面があたかもピクチャーアウトピクチャー（ＰＯＰ：Ｐｉｃｔｕｒｅ  Ｏｕｔ  Ｐｉｃｔｕｒｅ）モードの主画面及び副画面としてテレビのモニターで現れるようにできる主画面位置補償回路及びその方法に関するものである。
【０００２】
【従来の技術】
図１に示すように、従来のテレビ映像処理回路では、副画面中間周波（ＩＦ）処理部（１）が入力される副画面の中間周波信号（ＳＩＦ）を、副画面映像信号（ＳＡ）と副画面同期信号（ＳＢ）を分離して副画面処理部（２）へ出力し、副画面映像処理部（２）が副画面ＩＦ処理部（１）から印加される前記副画面映像信号（ＳＡ）をアナログ／ディジタル変換し縮小変換し、再びディジタル／アナログ変換してクロマ部（６）へ出力し、オンスクリーンディスプレー（ＯＳＤ：Ｏｎ  Ｓｃｒｅｅｎ  Ｄｉｓｐｌａｙ）信号発生部（３）がマイクロコンピューター（５）の制御信号に応じてオンスクリーンディスプレー（ＯＳＤ）用色信号（Ｒ０  ，Ｇ０  ，Ｂ０  ）を発生させる。
【０００３】
そして、マイクロコンピューター（５）がキー部（４）から入力されるキー信号に応じて主画面上に現れる副画面の水平及び垂直位置等に関する制御データを副画面処理部（２）へ出力するとともに前記オンスクリーンディスプレー信号発生部（３）を制御する制御信号をオンスクリーンディスプレー信号発生部（３）へ出力し、クロマ部（６）が主画面映像信号（ＳＣ）と副画面処理部（２）から印加される副画面映像信号及びオンスクリーンディスプレー用色信号（Ｒ０  ，Ｇ０  ，Ｂ０  ）をスイッチングして、最終的に表示部（ＣＰＴ）（７）で現れる複合主、副画面の映像信号を出力し、主画面の垂直、水平同期信号（ＳＤ）を副画面処理部（２）へ出力し、偏向制御部（８）が入力される主画面の水平、垂直同期信号（ＨＳ），（ＶＳ）に応じて水平及び垂直偏向用制御電流を表示部（７）へ出力して表示部（７）のビーム走査方向を制御することによりクロマ部（６）の出力が表示部（７）で現れるように構成されている。
【０００４】
このように構成される従来のテレビの映像処理回路の動作を見ると、使用者がキー部（４）のＰＩＰ−オンキーを選択すると、前記副画面−オンキーに当たる信号がマイクロコンピューター（５）に入力される。
次いで、マイクロコンピューター（５）が前記入力されたＰＩＰ−オンキーに当たる信号を認識し、表示部（７）で現れることになる副画面の水平及び垂直位置等の制御データを副画面処理部（２）へ出力することになる。この際に、副画面処理部（２）はマイクロコンピューター（５）から印加される制御信号に応じて副画面ＩＦ処理部（１）から印加される副画面の映像信号（ＳＡ）をアナログ／ディジタル変換し縮小変換して後、再びディジタル／アナログ変換して副画面の映像信号をクロマ部（６）へ出力することになる。
【０００５】
従って、クロマ部（６）が主画面映像信号と副画面処理部（２）からの副画面映像信号及びオンスクリーンディスプレー信号発生部（３）からのオンスクリーンディスプレー用信号（Ｒ０  ，Ｇ０  ，Ｂ０  ）をそれぞれ入力して表示部（７）にディスプレーするための複合主、副画面の映像信号を表示部（７）へ出力する。そして、偏向制御部（８）が入力される主画面の水平、垂直同期信号（ＨＳ），（ＶＳ）と同期する水平、垂直偏向制御電流を発生させて表示部（７）のビーム走査方向を制御することにより、複合された主、副画面の映像が表示部（７）で現れることになる。
【０００６】
一方、副画面処理部（２）がマイクロコンピューター（５）から副画面表示用垂直、水平データを直列で入力受けると、前記副画面処理部（２）は前記副画面表示用垂直、水平データをクロマ部（６）から入力される主画面の垂直、水平同期信号（ＳＤ）と同期させてから前記主画面の垂直、水平同期信号を基準としてカウンティングして副画面の映像信号をクロマ部（６）へ出力することにより、副画面がマイクロコンピューター（５）から入力受けた副画面表示用垂直、水平データに当たる位置で現れることになる。
【０００７】
【発明が解決しようとする課題】
しかしながら、従来の映像処理回路では、ＰＩＰ−オンキーが選択される場合、副画面がテレビモニターの主画面上の一部領域に重畳して現れるので主画面が副画面により遮られることになる。
それで、主画面とともに副画面がテレビのモニターに現れる場合、図５（Ｂ）に示すように、主画面の右側部が現れなくなるので全体主画面の中心から見る時、主画面が右側方向に片寄る問題点があった。
【０００８】
従って、本発明は従来の問題点を解決するためになされたもので、副画面を見ようとする場合、主画面の中央を左側に移動して副画面を主画面の右側端に現れるようにすることにより、主画面をより有効に見ることができるようにした主画面補償装置及びその方法を提供することをその目的とする。
【０００９】
【課題を解決するための手段】
このような目的を達成するために、本発明の第１の形態は、入力される副画面ＩＦ信号を副画面の映像信号と副画面の同期信号とに分離して出力する副画面ＩＦ処理部と、前記副画面ＩＦ処理部から入力される副画面の映像信号をアナログ／ディジタル変換してから縮小変換し、再びディジタル／アナログ変換して出力する副画面処理部と、入力される制御信号に応じてオンスクリーンディスプレー（ＯＳＤ）用色信号を発生させるオンスクリーンディスプレー信号発生部と、キー部から入力されるキー信号に応じて副画面をディスプレーする水平及び垂直位置の制御データを出力するとともに前記オンスクリーンディスプレー信号発生部へ制御信号を出力するマイクロコンピューターと、入力された主、副画面映像信号及びオンスクリーンディスプレー用色信号をスイッチングして最終的に表示部（ＣＰＴ）にディスプレーするための色差信号を出力するクロマ部と、水平及び垂直偏向制御電流を発生して前記表示部のビーム走査方向を制御する偏向制御部と、前記マイクロコンピューターの制御信号によりピクチャーインピクチャー（ＰＩＰ）及びオンスクリーンディスプレーの水平位置データをセッティングするために、類似ピクチャーアウトピクチャー（ＰＯＰ）モード時に、ピクチャーインピクチャー及びオンスクリーンディスプレーの標準データに所定時間遅延した遅延データを記憶するメモリ部と、ピクチャーインピクチャーモード時に主画面の水平同期信号を遅延して前記偏向制御部へ出力する水平同期信号スイッチング部と、を備え、さらに、前記水平同期信号スイッチング部は、前記マイクロコンピューターの出力信号に応じてスイッチングして前記水平同期信号を前記偏向制御部と遅延部に伝達するスイッチと、前記スイッチを通じて入力される前記水平同期信号を所定時間遅延して出力する遅延部とから構成されることを特徴とする主画面位置補償回路を提供する。
【００１０】
さらに、前記目的を達成するために、本発明の第２の形態は、ピクチャーインピクチャー（ＰＩＰ）−オンキーの信号がキー部を通じて入力されるかをチェックする第１段階と、前記ピクチャーインピクチャー（ＰＩＰ）−オンキーの信号が入力されたとチェックされると、予定された複数のピクチャーインピクチャーモードのうち１つをセッティングし、セッティングされた前記ピクチャーインピクチャーモードを判別する第２段階と、前記ピクチャーインピクチャー−オンキーの信号が入力されなかったとチェックされると、予めセッティングされていたピクチャーインピクチャーモードを判別する第３段階と、判別される前記ピクチャーインピクチャーモードが類似ピクチャーアウトピクチャー（ＰＯＰ）モードであると、複数の副画面が類似ピクチャーアウトピクチャーモードでディスプレーされるようにデータをセッティングする第４段階と、前記副画面とオンスクリーンディスプレー領域の既に設定された水平データをメモリから読みこむ第５段階と、前記メモリから読みこんだ前記副画面とオンスクリーンディスプレー領域の前記既に設定された水平データを遅延された水平データとそれぞれ加算し、前記副画面とオンスクリーンディスプレー領域の水平位置に当たるデータをそれぞれセッティングしてから副画面映像処理部とオンスクリーンディスプレー信号発生部へ出力する第６段階と、主画面の水平同期信号を所定期間遅延してから偏向制御部へ出力する第７段階と、判別されるピクチャーインピクチャーモードがピクチャーインピクチャー−オンモードであると、１副画面がピクチャーインピクチャー−オンモードでディスプレーされるようにデータをセッティングする第８段階と、判別される前記ピクチャーインピクチャーモードがピクチャーインピクチャー−オフモードであると、ピクチャーインピクチャー−オフモードでディスプレーされるようにデータをセッティングする第９段階と、前記第８及び第９段階での前記データがセッティングされた後、前記ピクチャーインピクチャーとオンスクリーンディスプレー領域の水平位置に当たるデータをそれぞれ標準にセッティングした後、前記オンスクリーンディスプレー信号発生部と前記副画面映像処理部へ出力する第１０段階と、前記主画面の水平同期信号を遅延せずに偏向制御部へ出力する第１１段階を遂行することを特徴とする主画面位置補償方法を提供する。
【００１１】
【実施例】
以下、本発明による主画面位置補償回路を添付図面に基づいて詳細に説明する。
図２では、副画面（ＰＩＰ）ＩＦ処理部（１１）が入力される副画面（ＰＩＰ）ＩＦ信号（ＳＩＦ）を、副画面映像信号（ＳＡ）と副画面同期信号（ＳＢ）を分離して副画面（ＰＩＰ）処理部（１２）へ出力し、副画面（ＰＩＰ）処理部（１２）が副画面ＩＦ処理部（１１）から印加される前記副画面映像信号（ＳＡ）をアナログ／ディジタル変換し縮小変換した後、再びディジタル／アナログ変換してクロマ部（６）へ出力し、オンスクリーンディスプレー（ＯＳＤ）信号発生部（１３）がマイクロコンピューター（１５）の制御信号に応じてオンスクリーンディスプレー（ＯＳＤ）用色信号（Ｒ０  ，Ｇ０  ，Ｂ０  ）を発生させる。そして、マイクロコンピューター（１５）がキー部（１４）から入力されるキー信号に応じて主画面上に現れる副画面の水平及び垂直位置等に関する制御データを副画面処理部（１２）へ出力するとともに前記オンスクリーンディスプレー信号発生部（１３）を制御する制御信号をオンスクリーンディスプレー信号発生部（１３）へ出力し、クロマ部（１６）が主画面映像信号（ＳＣ）と副画面処理部（１２）から印加される副画面映像信号及びオンスクリーンディスプレー用色信号（Ｒ０  ，Ｇ０  ，Ｂ０  ）をスイッチングして、最終的に表示部（ＣＰＴ）（１７）で現れる複合主、副画面の映像信号を表示部（１７）へ出力し、偏向制御部（８）が入力される主画面の水平、垂直同期信号（ＨＳ），（ＶＳ）と同期する水平、垂直偏向用制御電流を表示部（１７）へ出力して表示部（１７）のビーム走査方向を制御することにより複合主、副画面の映像がテレビのモニターで現れ、メモリ部（１９）が副画面及びＯＳＤ遅延データを記憶し類似ＰＯＰモード時にその記憶されたデータを出力し、水平同期信号スイッチング部（２０）が前記マイクロコンピューター（１５）の出力に応じてスイッチングして水平同期信号（ＨＳ）を遅延するように構成されている。
【００１２】
ここで、前記水平同期信号スイッチング部（２０）はマイクロコンピューター（１５）の制御信号に応じて水平同期信号（ＨＳ）を偏向制御部（１８）へ伝送するか又は同期遅延部（２４）へ伝送するスイッチ（２２）と、前記スイッチ（２２）を通じて印加される水平同期信号（ＨＳ）を一定期間遅延して偏向制御部（１８）へ伝送する遅延部（２４）とから構成される。
【００１３】
そして、前記オンスクリーンディスプレー（ＯＳＤ）信号発生部（１３）は、図６に示すように、入力される発振信号（ＯＳＣ１）、（ＯＳＣ２）を水平同期信号（ＨＳ）と同期させて出力する発振部（３１）と、前記発振部（３１）から発生する発振信号から水平及び垂直同期をカウントして、図３のオンスクリーンディスプレー領域（ＯＳＤＲ）が主画面上で始まる水平及び垂直位置（Ｘ），（Ｙ）を探し出す水平及び垂直位置カウンター（３２），（３３）と、前記水平及び垂直位置カウンター（３２）（３３）からそれぞれ入力されるカウンター値に当たるオンスクリーンディスプレー領域（ＯＳＤＲ）の位置データをオンスクリーンディスプレー制御部（３６）へ出力する水平及び垂直位置デコーダー（３４）（３５）と、前記オンスクリーンディスプレー（ＯＳＤ）制御部（３６）からの出力に応じて表示用メモリ（３７）から当該アドレスが指定されると、その指定されたアドレスに当たる文字データを出力する文字ＲＯＭ（３８）と、前記文字ＲＯＭ（３８）から発生する文字と前記表示用メモリ（３７）から発生する色データに応じて表示データの文字及び色を指定してから表示出力制御部（４０）を通じて出力する表示データ制御部（３９）とから構成される。
【００１４】
又、副画面処理部（２）は、図７に示すように、入力されるアナログの副画面映像信号をディジタルの副画面映像信号に変換させ、データインターフェース部（２２）を通じてメモリ部（２４）に貯蔵するアナログ／ディジタル変換部（２１）と、副画面がディスプレーされる場合、データインターフェース部（２２）及び出力バッファ（２４）を通じて入力される前記メモリ部（２３）のデータをアナログ変換して出力するディジタル／アナログ変換部（２５）と、データインターフェース部（２２）を通じて印加されるデータを水平及び垂直同期信号（ＨＳ，ＶＳ）と制御レジスター（２６）のデータと同期させて出力する副画面制御部（２８）とから構成される。
【００１５】
又、データインターフェース部（２７）は制御データをマイクロコンピューター（１５）からシリアルで印加受けて制御レジスター（２６）に一時貯蔵するように構成される。
このように構成される本発明の主画面位置補償回路の動作を見ると、先ず使用者がキー部（１４）のＰＩＰ−オンキーを選択すると、前記ＰＩＰ−オンキーに当たる信号がマイクロコンピューター（１５）に入力される。次いで、マイクロコンピューター（１５）が入力された前記ＰＩＰ−オンキーに当たる信号を認識し、副画面がディスプレーされる水平及び垂直位置等の制御データを副画面処理部（１２）へ出力することになる。
【００１６】
この際に、副画面処理部（１２）がマイクロコンピューター（１５）からの制御信号に応じて副画面ＩＦ処理部（１１）から印加される副画面の映像信号（ＳＡ）をアナログ／ディジタル変換してから縮小変換し、再びディジタル／アナログ変換してクロマ部（１６）へ出力することになる。これに関し、図７を参照してより詳細に説明すると次のようである。
【００１７】
副画面映像制御部（２８）が入力される主画面の水平同期信号（ＨＳ）及び垂直同期信号（ＶＳ）に応じて副画面映像信号（ＳＡ）の水平及び垂直同期を制御する信号をアナログ／ディジタル変換部（２１）へ出力する。これにより、アナログ／ディジタル変換部（２１）が入力されるアナログの副画面映像信号（ＳＡ）をディジタルの副画面映像信号に変換させる。以後、前記ディジタルの副画面映像信号はデータインターフェース部（２２）を通じてメモリ（２３）にメモリされる。又、副画面をディスプレーする場合、前記メモリ（２３）にメモリされたディジタルの副画面映像信号のデータが前記データインターフェース部（２２）及び出力バッファ（２４）を順次に通じてディジタル／アナログ変換部（２５）に入力される。以後、前記ディジタル／アナログ変換部（２５）が入力されるディジタルの副画面映像信号をアナログの副画面映像信号に変換させてクロマ部（１６）へ出力する。
【００１８】
一方、前記アナログ／ディジタル変換部（２１）からディジタル／アナログ変換部（２５）を経る間には副画面の映像信号の全体が所定比率に縮小される。この際に、副画面の映像信号は同期信号に同期され、データインターフェース（２７）を通じて制御レジスター（２６）に印加されるデータにより同期されて出力される。
【００１９】
併せてオンスクリーンディスプレー（ＯＳＤ）発生部（１３）は前記マイクロコンピューター（１５）の制御信号の出力により動作し、これに関し、図６に基づいてより詳細に説明すると次のようである。
水平及び垂直位置カウンター（３２）（３３）が発振部（３１）の出力をそれそれカウントして水平及び垂直位置デコーダー（３４）（３５）へ送ると、前記水平及び垂直位置デコーダー（３４）（３５）はオンスクリーンディスプレー領域の位置データをＯＳＤ制御部（３６）へ出力し、ＯＳＤ制御部（３６）は入力された前記オンスクリーンディスプレー領域の位置データでオンスクリーンディスプレー（ＯＳＤ）をイネーブルする。
【００２０】
従って、文字ＲＯＭ（３８）が表示用メモリ（３７）のデータをアドレス（ＡＤＤＲＥＳＳ）とし、前記アドレスに当たるデータを表示データ制御部（３９）へ出力すると、表示データ制御部（３９）は表示出力制御部（４０）を制御して前記データを出力することによりオンスクリーンディスプレー（ＯＳＤ）が実行される。
【００２１】
そして、水平及び垂直位置デコーダー（３４）（３５）のデータにより、図３のような位置データ（Ｘ，Ｙ）のような位置からＯＳＤが実施されるように表示出力制御部（４０）からＯＳＤ用色信号（Ｒ０  ，Ｇ０  ，Ｂ０  ）波形が出力される。この際に、オンスクリーンディスプレー（ＯＳＤ）領域の位置及び色、文字の種類等はマイクロコンピューター（１５）が外部インターフェース（４１）を通じてデータをシリアルで入力受けてプログラムすることにより決定される。
【００２２】
前述したように、クロマ部（１６）が副画面処理部（１２）及びオンスクリーンディスプレー（ＯＳＤ）発生部（１３）からそれぞれ副画面処理信号及びＯＳＤ用色信号（Ｒ０  ，Ｇ０  ，Ｂ０  ）を入力受けるとともに外部から印加される主画面映像信号を入力受けると、先ずオンスクリーンディスプレー用色差信号を、その次に副画面色差信号をスイッチングして最終的に表示部（１７）へディスプレーする。
【００２３】
ここで、本発明は図５（Ａ）のような一般のＰＩＰモード及び図５（Ｂ）のようなＰＯＰモードで主画面及び副画面をディスプレーする場合、主画面が副画面により遮られる問題点がある。このような問題点を解決するためには、前記マイクロコンピューター（１５）がメモリ部（１９）に貯蔵されている副画面遅延データ及びＯＳＤ遅延データ（図５（Ｃ）のように遅延された値）を読んで副画面及びＯＳＤの水平位置データをセッティングした後、水平同期信号スイッチング部（２０）のスイッチ（２２）をスイッチングさせて水平同期信号を同期遅延部（２４）に入力させる。
【００２４】
これにより、主画面の水平同期信号（ＨＳ）が遅延されて図２の偏向制御部（１８）に印加して、水平走査ラインが本来の水平ライン信号より遅延された状態で発生するので、主画面全体が左側に移動して表示部（１７）上に現れることになる。即ち、シリアルデータの伝送によりＯＳＤ及び副画面の水平位置を右側に遅延させ、先ず左側に偏向を実施する。実質的には画面中央部分が左側に来ながら副画面が右側端に３つの画面としてディスプレーされるようにすることによりＰＩＰモードでＰＯＰ効果を招くようにする。即ち、水平同期信号スイッチング部（２０）を通じて水平同期信号（図４のｂ）が遅延されると水平走査ライン（図４のａ）が遅延されて、図５（Ｃ）のように主画面の左側が引かれる結果となるので視聴者が見るのに便利になるようにする。
【００２５】
最終的に偏向制御部（１８）では、入力される垂直同期信号（ＶＳ）及び水平同期信号スイッチング部（２０）を通じて印加される遅延された水平同期信号（ＨＳ）に応じて水平及び垂直偏向制御電流を発生して表示部（１７）へ出力すると、前記表示部（１７）のビーム走査方向が制御されて、図５（Ｄ）のように完全に均衡が取れた主画面を見ることが出来る。
【００２６】
以上の動作に関し、図８の流れ図に基づいて説明すると次のようである。
ＰＩＰ−オンキーの入力がキー部（１４）を通じて入力されるかをチェックする第１段階と、前記第１段階でＰＩＰ−オンキーの入力がなければ、ＰＩＰ−オン→類似ＰＯＰ→ＰＩＰ−オフとなるようにＰＩＰモードをセッティングする第２段階が進行される。以後、前記第２段階でセッティングされるか又は前記ＰＩＰ−オンキーの入力がない場合、以前にセッティングされていたＰＩＰモードを判別する第３段階が進行される。
【００２７】
前記第３段階で類似ＰＯＰモードと判別されると、３つの副画面が類似ＰＯＰモードでディスプレーされるようにデータをセッティングし、メモリ（１９）から既に記憶されている副画面（ＰＩＰ）及びオンスクリーンディスプレー（ＯＳＤ）の水平遅延データを読み込んでから前記副画面の標準水平データに遅延された水平データを加えてセッティングするとともにＯＳＤの標準水平データに遅延された水平データを加えセッティングして副画面映像処理部（１２）とＯＳＤ発生部（１３）へ出力する第４段階が進行され、マイクロコンピューター（１５）が水平同期信号スイッチング部（２４）のスイッチ（２２）へハイ信号を出力して、水平同期信号（ＨＳ）が同期遅延部（２４）を通じて所定時間遅延されてから偏向制御部（１８）へ出力されて類似ＰＯＰが実現されるようにする第５段階が進行される。
【００２８】
そして、前記第３段階でＰＩＰ−オンモードと判別されると、１副画面がＰＩＰ−オンモードでディスプレーされるようにデータをセッティングし、ＰＩＰ−オフモードと判別されると、ＰＩＰがオフとなるようにデータをセッティングする第６段階が進行され、前記第６段階で各々のデータがセッティングされると、ＯＳＤと副画面の水平位置データを標準水平データとしてセッティングした後、副画面映像処理部（１２）とＯＳＤ発生部（１３）へ出力するとともに水平同期信号スイッチング部（２０）のスイッチ（２２）へロー信号を出力し遅延されなかった水平同期信号が偏向制御部（１８）に印加されるようにして正常状態で副画面とＯＳＤがディスプレーされるようにする第７段階が進行される。従って、前記段階を遂行することにより類似ＰＯＰの場合に水平偏向が制御されて、主画面が左側に引かれ、ＯＳＤも引かれるのでＯＳＤの水平位置が補償される。
【００２９】
【発明の効果】
以上説明したように、本発明は、ＰＩＰ−オンの場合、主画面の中央を左側に移動させて副画面を主画面の右側端に現れるようにすることにより、主画面がより有効に視聴できるようにする効果がある。
【図面の簡単な説明】
【図１】従来のテレビの映像処理回路を示すブロック図である。
【図２】本発明による主画面位置補償回路を示すブロック図である。
【図３】本発明による主画面位置補償回路の水平、垂直同期信号と主画面上に表示されたオンスクリーンディスプレー（ＯＳＤ）領域の位置を示す図面である。
【図４】本発明による画面と水平、垂直走査ラインを示す図面である。
【図５】ＰＩＰ画面とＰＯＰ画面を示す図面である。
【図６】図２のオンスクリーンディスプレー（ＯＳＤ）信号発生部を示す詳細ブロック図である。
【図７】図２の副画面処理部を示す詳細ブロック図である。
【図８】本発明による主画面位置補償方法を示す流れ図である。
【符号の説明】
１１…副画面色変調部
１２…副画面処理部
１３…オンスクリーンディスプレー（ＯＳＤ）
１４…キー部
１５…マイクロコンピューター
１６…クロマ部
１７…表示部（ＣＰＴ）
１８…偏向制御部
１９…メモリ部
２０…水平同期信号スイッチング部
２１…アナログ／ディジタル変換部
２３…ディジタル／アナログ変換部
２６…制御レジスター
３４…水平位置カウンター
３５…垂直位置カウンター
３６…オンスクリーンディスプレー制御部
４０…表示出力制御部
【図１】
0003592746.tif 000002
【図２】
0003592746.tif 000003
【図３】
0003592746.tif 000004
【図４】
0003592746.tif 000005
【図５】
0003592746.tif 000006
【図６】
0003592746.tif 000007
【図７】
0003592746.tif 000008
【図８】
0003592746.tif 000009